(57)【特許請求の範囲】
【請求項１】
行と列とに配置される複数のブリスターの窪み部分を有するブリスタートレイであって、各々の前記ブリスターの窪み部分が、その中に消費可能な製品を支持している、ブリスタートレイと、
前記ブリスタートレイを受け取るためのブリスタースリーブであって、前記ブリスタートレイの上部および側端を露出し、かつ前記ブリスターの窪み部分の全てより少なく覆うように構成されたブリスタースリーブと、を備え、
前記スリーブは、前記ブリスタートレイを受け取るためのスリーブ内部を形成する対向する両側壁によって連結された第１および第２のパネルを備え、前記両側壁の少なくとも１つは、前記ブリスタートレイが前記スリーブ内に完全に挿入されている場合に、ブリスタートレイの側部の少なくとも一部を露出するために、ブリスタートレイの端部（１２ａ）からオフセットされており、
前記第１のパネルは、前記ブリスターの窪み部分全てを覆わないパネルが形成されるように、そのコーナーにおいて切り欠き部分が形成されるパネルの範囲を規定する周囲部分（２０ａ）を有し、
前記第２のパネルは、前記ブリスタートレイの周囲部分と略同一の外延をもつ周囲部分（２２ａ）を有する、
ブリスターパッケージ。
【請求項２】
前記第１のパネルは、そのパネルに形成される切込み部分を含み、ブリスターコンパートメント内にある前記消費可能な製品を見ることができるように、前記切込み部分は前記ブリスターコンパートメントの上にある、請求項１に記載のパッケージ。
【請求項３】
前記切込み部分は、複数のブリスターコンパートメントを見ることができるようにサイズが調整される、請求項２に記載のパッケージ。
【請求項４】
前記第１のパネルは前記ブリスタートレイの高さよりも低い高さを有する、請求項１に記載のパッケージ。
【請求項５】
前記第１のパネルは前記第２のパネルよりも小さい、請求項１に記載のパッケージ。
【請求項６】
前記ブリスタートレイは、前記第１のパネルの周囲部分を越えて延びる周囲部分を有する、請求項１に記載のパッケージ。
【請求項７】
前記第１のパネルの周囲部分は、前記ブリスターの窪み部分の１つ以上を見ることができるように構成される、請求項１に記載のパッケージ。
【請求項８】
ブリスタートレイ上に配置される、複数のブリスターの窪み部分を有するブリスタートレイであって、各々の前記ブリスターの窪み部分が、その中に消費可能な製品を支持している、ブリスタートレイと、
前記ブリスタートレイを受け取るためのスリーブ内部を形成する、対向する第１および第２の側壁によって共に連結される第１のパネルおよび第２のパネルを有するスリーブであって、前記第１のパネルは、該第１のパネルの範囲を規定する周囲部分を有し、前記周囲部分は、前記ブリスタートレイが前記スリーブ内に完全に挿入された場合、少なくとも１つのブリスターの窪み部分を露出させたままにするように構成され、前記第２のパネルは、前記ブリスタートレイの周囲部分と略同一の外延をもつ周囲部分を有し、前記第１および第２の側壁の少なくとも１つは、前記ブリスタートレイが前記スリーブ内に完全に挿入された場合、１つ以上の前記ブリスターの窪み部分の側壁を露出するために、前記ブリスタートレイの端からオフセットされている、スリーブと、
を備える、ブリスターパッケージ。
【請求項９】
前記側壁の両方は、１つ以上のブリスターの窪み部分の側壁を露出するために、前記ブリスタートレイの端からオフセットされている、請求項８に記載のブリスターパッケージ。
【請求項１０】
前記第１および第２のパネルは、前記ブリスタートレイが前記スリーブに完全に挿入されるとき、複数のブリスターの窪み部分を覆う平坦な連続した中断しない表面を有する部分を含む、請求項１または８に記載のパッケージ。
【請求項１１】
前記周囲部分は、露出した前記少なくとも１つのブリスターの窪み部分を残すためにそれ自体のコーナーでその中に形成される切り欠き部分を含む、請求項８に記載のパッケージ。
【発明の詳細な説明】
【技術分野】
【０００１】
本出願は、２００９年６月２３日に出願の米国仮特許出願第６１／２６９，２８８号の優先権を主張し、その開示はあらゆる目的のために本明細書において参照することにより援用される。
【０００２】
本発明は一般に、複数の消費可能な製品を収容および分配するためのブリスターパッケージに関連する。より詳細には、本発明は、ブリスタートレイからガムピースを分配するためのブリスターパッケージに関するものであって、ここでブリスタートレイの一部は支持スリーブから露出されている、ブリスターパッケージに関する。
【背景技術】
【０００３】
従来技術においては、チューインガムピース等の消費可能な製品が入った複数のパッケージが存在する。あるタイプのパッケージには、ブリスタートレイおよびブリスタースリーブを含むブリスターパッケージが挙げられる。多くのブリスターパッケージは、消費者に対してパッケージを望ましいものとする、美的に優れかつ機能的な特徴の両方を提供する。特定の所望の特徴としては、中身を見ることができる、美的に優れたデザインのパッケージングが挙げられる。特定の機能的な特徴としては、ガムピースを都合良く個々に分配することができるパッケージの中に、ガムピースを保持することができることが挙げられる。
【発明の概要】
【発明が解決しようとする課題】
【０００４】
消費者に対して、美的に優れて魅力的な外観を維持しつつ、優れた機能性を提供する改善されたガムパッケージを提供することが所望される。
【課題を解決するための手段】
【０００５】
本発明はブリスターパッケージを提供する。ブリスターパッケージは、行および列に配置される、上方に開口した複数のブリスターの窪み部分を有するブリスタートレイを含む。ブリスターの窪み部分は消費可能な製品を支持する。ブリスタースリーブはブリスタートレイを受け取るために提供される。ブリスタースリーブは、ブリスタートレイの上部および側端を露出し、かつ、ブリスターの窪み部分の全てより少なく覆うように構成される。
【０００６】
本発明は、行と列とに配置される、上方に開口した複数のブリスターの窪み部分を有するブリスタートレイを含むブリスターパッケージをさらに提供する。各ブリスターの窪み部分は、その中に消費可能な製品を支持している。スリーブは、ブリスタートレイを受け取るためのスリーブ内部を形成する第１のパネルおよび第２のパネルを有する。第１のパネルは、その第１のパネルの範囲を規定する周囲部分を有する。周囲部分は、ブリスタートレイがスリーブ内に完全に挿入された場合、少なくとも１つのブリスターの窪み部分を露出させたままにするように構成される。
【０００７】
本発明は、ブリスタートレイ上に配置され、上方に開口した複数のブリスターの窪み部分を有するブリスタートレイを含むブリスターパッケージをさらに提供する。各ブリスターの窪み部分は、その中に消費可能な製品を支持している。スリーブは、ブリスタートレイを受け取るためのスリーブ内部を形成する、対向する第１および第２の側壁によって共に連結される第１のパネルおよび第２のパネルを有する。第１のパネルは、その第１のパネルの範囲を規定する周囲部分を有する。周囲部分は、ブリスタートレイがスリーブ内に完全に挿入された場合、少なくとも１つのブリスターの窪み部分を露出させたままにするように構成される。第１および第２の側壁の少なくとも１つは、ブリスタートレイがスリーブ内に完全に挿入された場合、１つ以上のブリスターの窪み部分の側壁を露出するために、ブリスタートレイの端からオフセットされている。
【図面の簡単な説明】
【０００８】
【図１】図１は、ブリスタートレイの一部を露出させるために、スリーブから取り出されたコーナーを有する本発明のパッケージングを示す上面図であり、ここでブリスタートレイはスリーブ内に完全に挿入されて示されている。
【図２】図２は、スリーブから部分的に取り出されたブリスタートレイを示すパッケージングの上面図である。
【図３】図３は、パッケージングの上面斜視図である。
【図３Ａ】図３Ａは、図１のパッケージングを形成するために用いられるブランクの上面図である。
【図４】図４は、本発明のパッケージングの代替の実施形態を示す上面図である。
【図５】図５は、本発明のパッケージングのさらなる代替の実施形態の上面図である。
【図５Ａ】図５Ａは、図５のパッケージングを示す上面斜視図である。
【図６】図６は、図５のパッケージングの上面図であり、ブリスタートレイがパッケージングから部分的に取り出されている状態を示す図である。
【図７】図７は、図５に示すパッケージングのためにスリーブを作製するためのブランクの上面図である。
【図８】図８は、スリーブを形成するために用いられるブランクの代替の実施形態の上にあるブリスタートレイの上面図である。
【図９】図９は、図８のブランクの上面図である。
【発明を実施するための形態】
【０００９】
本発明は、複数の製品、好ましくは消費可能な製品を包み込み、かつ分配するためのパッケージを提供する。より詳細には、本発明は、ガムペレット等の菓子製品を収容かつ分配するように設計されている。ガムペレットは本発明の好適な実施形態において示されるが、本明細書に開示されるパッケージは、１つ以上の層状および多くの形態において、ガムピース等の様々な消費可能な製品を分配するために用いられてよいことは理解され得る。本発明のパッケージは、平板（スラブ）状、スティック状、ペレット状、ピロー状などを含んだ様々な形状でガムピースを入れ、かつ分配するように用いられてよいことが想定されている。さらに、包装されていないガムスラブが本明細書における好適な実施形態に示されており、ガムピースが包装されている場合または包装されていない場合は本発明の想定内である。
【００１０】
ここで図１〜図３Ａを参照すると、食料品パッケージングの第１の実施形態が示されている。食料品パッケージングは、ブリスタートレイの形をした製品保持器１２とブリスタースリーブ１４とを含むブリスターパッケージ１０であり得る。ブリスタートレイ１２は、好ましくは透明なプラスチック材料でできており、行と列で配置構成された複数のブリスターの窪み部分１６を含み、それらの各々がその中にガムピース１８等の製品を保持する。トレイ１２はその上にブリスターフィルム、すなわちカバー１９を含んでよく、ブリスターの窪み部分１６内にガムピース１８を密封可能に収容する。ブリスターのカバー１９は金属箔でできていてよい。あるいは、カバー１９は、ブリスタートレイのいずれかの側から見た場合に、窪み部分内に保持された製品を見ることができるように、略透明な材料でできていてもよい。従来の形態において、ガムピース１８は、窪み部分を押圧して、ガムピースを、窪み部分の開口端を介し、その上に配置されているブリスターカバー１９を介して、押し出すことにより分配されてよい。
【００１１】
図３を特に参照すると、ブリスタースリーブ１４は、上側および下側の平坦な壁パネル２０および２２を有する略矩形の部材であってよく、これらの壁パネル２０および２２は、ブリスタースリーブの対向する両側に沿った側壁２３および２４によって連結されている。ブリスタースリーブは異なる構成を有することができることも本発明の想定内である。上側および下側のパネルは、パネルの範囲を規定する周囲部分２０ａおよび２２ａを各々有する。パネル２０および２２ならびに側壁２３および２４は、ブリスタートレイ１２を受け取るためのスリーブ内部２１を形成する。ブリスタースリーブの残りの対向する端部２５は開口しており、スリーブ内でブリスタートレイ１２をスライド可能に挿入および取り出しすることができる。図１に示すように、ブリスタートレイ１２は、ブリスタートレイの前縁１２ａがスリーブの端部１４ａに到達するまでスリーブ１４に挿入されてよく、図１に示すように、このスリープの端部１４ａにおいて、ブリスタートレイ１２はスリーブ１４に完全に挿入される。
【００１２】
スリーブ内においてブリスタートレイ１２を有するブリスタースリーブ１４は、パッケージ１０の内容物を保護するために、取外し可能な上包み（図示せず）で覆われていてもよい。ユーザはこの上包みを取り外して、ブリスタートレイ１２とその中にあるガムピース１８にアクセスしてよい。
【００１３】
ブリスタースリーブ１４の上側パネル２０において、周囲部分２０ａは、そのコーナーにおいて、切り欠き部分２６を形成するように構成されている。切り欠き部分２６は、ブリスタートレイ１２が、ブリスタースリーブ１４内に完全に挿入された場合に、窪み部分の中で支持されたガムピース１８を含む、コーナーにあるブリスターの窪み部分１６が露出されて、ユーザによって見ることができるように、サイズが調節されかつ配置される。パネル周囲部分２０ａの構成により、ブリスターの窪み部分全てを覆わないパネルが形成される。側壁２３は、ブリスタートレイ１２ｂの側端部を露出したままにするように構成されてよい。側壁２３は、ブリスタートレイがスリーブ内に完全に挿入された場合に、ブリスタートレイの側部の少なくとも一部を露出するために、ブリスタートレイの端部１２ａからオフセットされていてよい。オフセットされた側壁２３は窪み部分１６ａの側部を露出したままにする。ガムピースが、色、形状等の、美的に優れまたは装飾が施された構成など、美的な質を有するので、これはとくに有益な特徴である。これに関して、ブリスタートレイ１２は、好ましくは、ガムピースを見ることができることを保証するために透明である。
【００１４】
図３Ａを参照すると、ブリスタースリーブ１４は板紙のブランク３０から形成されてよい。ブランクは、折り目３１周囲で折られてよい。タブ３２および３４は各々パネル２０および２３から延び、共に側壁２３を形成する。側壁２４は部分連結壁２０および２２から形成される。ブランク３０は、スリーブ１４を形成するために、タブ３２および３４が係合され、接着剤で共に固定され得るように折られる。
【００１５】
ブリスタースリーブ１４は、ブリスターの窪み部分１６が切り欠き部分２６に対向した状態で、ブリスタートレイ１２に挿入される。切り欠き部分２６が１つのブリスターの窪み部分を露出させているが、周囲部分２０ａは、２つ以上のブリスターの窪み部分を露出させるようにサイズが調整されかつ配置された切り欠き部分２６を形成するように構成可能である。例えば、図４に関して、コーナーの切り欠き部分２６’は２つの隣接するブリスターの窪み部分１６を露出させるようにサイズが調整されてよく、その結果、スリーブ１４がトレイ１２を収容した場合に、２つのガムピースを見ることができる。パネル周囲部分２０ａは、複数のブリスターの窪み部分を露出する切り欠き部分を生成するように構成されてよい。
【００１６】
本発明のさらなる実施形態を図５〜図７に関連して示す。本実施形態において、ブリスターパッケージ１１０は、ブリスタートレイ１１２および、そのブリスタートレイを収容するブリスタースリーブ１１４を含む。ブリスタースリーブ１１２は、上側パネル１２０および下側パネル１２２を含む。上側および下側パネルは、ブリスタートレイ１１２を受け取るためのスリーブ内部１２４を規定する。スリーブ内部１２４は、両端１２５で開口しており、ブリスタートレイがスリーブ１１２内外へとスライド可能にする。本実施形態において、ブリスタースリーブ１１４の上側パネル１２０は高さｈを有し、この高さｈは、下側のパネル１２２およびトレイ１１２の高さＨよりも短い。それゆえ、ブリスターの窪み部分１１６およびその中のガムピース１１８の列全体は、図５に示すように、トレイ１１２がスリーブ１１４内に完全に位置された場合に、ガムピース１１８を露出する。
【００１７】
図７を特に参照すると、スリーブ１１４は板紙または他の適切なパッケージング材料の打ち抜きのブランク１２６から形成されてよい。上側のパネル１２０は、折り目１３０に沿って下側のパネル１２８の上に折られてよい。ブランク１２６を折った後、ブランク１２６から延びているタブ１３２および１３４を一緒にして互いに接着させる。ブランク１２６が折られる前に、印が所望されるように、好適に、上側および下側のパネル上にプリントされていてもよい。
【００１８】
さらなる実施形態（一部は上記実施形態に類似する）を図８および図９に示す。本実施形態において、ブリスターパッケージ２１０はブリスタートレイ２１２およびブリスタースリーブ２１４を含む。ブリスタースリーブは、パネル２２０をパネル２２２の上で折り、かつサイドタブ２２４および２２６を固定することによって形成される。ブリスタースリーブ２１４の対向する上側および下側の壁２２０および２２２は、同じ高さｈを有し、この高さｈは、ブリスタートレイ２１２の高さＨよりも短い。それゆえ、ブリスタートレイ２１２が中に挿入されると、窪み部分２１６の一列全体が両側に露出される。
【００１９】
前述の記載および図示した構造に対する様々な変更が当業者に対してここで明らかである。従って、本発明の特に開示された範囲は以下の特許請求の範囲において説明される。
【図１】
0005419052.tif 000002
【図２】
0005419052.tif 000003
【図３】
0005419052.tif 000004
【図３Ａ】
0005419052.tif 000005
【図４】
0005419052.tif 000006
【図５】
0005419052.tif 000007
【図５Ａ】
0005419052.tif 000008
【図６】
0005419052.tif 000009
【図７】
0005419052.tif 000010
【図８】
0005419052.tif 000011
【図９】
0005419052.tif 000012